【手続補正書】
【提出日】平成17年4月1日(2005.4.1)
【手続補正１】
【補正対象書類名】明細書
【補正対象項目名】発明の名称
【補正方法】変更
【補正の内容】
【発明の名称】非線形歪等化回路、非線形歪等化方法
【手続補正２】
【補正対象書類名】明細書
【補正対象項目名】特許請求の範囲
【補正方法】変更
【補正の内容】
【特許請求の範囲】
【請求項１】
複素入力信号中の波形歪を補償する非線形歪等化回路であって、
複素入力信号をＮ次関数変換特性（Ｎ＞１）によって変換する非線形歪補償用複素信号変換回路と、
前記非線形歪補償用複素信号変換回路の出力の低域成分のみを通過させる低域通過フィルタと、
前記低域通過フィルタの出力の位相同期を確立する搬送波再生回路と、
前記搬送波再生回路の出力と理想受信点との誤差を算出する誤差算出回路と、
前記誤差算出回路の出力する誤差信号を用い、かつ前記搬送波再生回路で行われる位相回転を補正して、前記非線形歪補償用複素信号変換回路の特性を決定する係数を更新する非線形歪補償用係数更新回路と、を具備することを特徴とする非線形歪等化回路。
【請求項２】
複素入力信号中の波形歪を補償する非線形歪等化回路であって、
複素入力信号をＮ次関数変換特性（Ｎ＞１）によって変換する非線形歪補償用複素信号変換回路と、
前記非線形歪補償用複素信号変換回路の出力の低域成分のみを通過させる低域通過フィルタと、
前記低域通過フィルタの出力を畳み込み演算によって変換する線形歪補償用複素信号変換回路と、
前記線形歪補償用複素信号変換回路の出力の位相同期を確立する搬送波再生回路と、
前記搬送波再生回路の出力と理想受信点との誤差を算出する誤差算出回路と、
前記誤差算出回路の出力する誤差信号を用い、かつ前記搬送波再生回路で行われる位相回転を補正して、前記線形歪補償用複素信号変換回路の特性を決定する係数を更新する線形歪補償用係数更新回路と、
前記誤差算出回路の出力する誤差信号を用い、かつ前記搬送波再生回路で行われる位相回転を補正して、前記非線形歪補償用複素信号変換回路の特性を決定する係数を更新する非線形歪補償用係数更新回路と、を具備することを特徴とする非線形歪等化回路。
【請求項３】
前記非線形歪補償用複素信号変換回路の変換式は、入力信号、出力信号、及びｍ次歪補償用係数の時刻n における値をそれぞれx(n)、y(n)、a m (n) とするとき、
y(n) = x(n) + Σa m (n)x m (n)    (m ＞ 1)
であり、
前記非線形歪補償用複素信号変換回路の変換式、及び前記非線形歪補償用係数更新回路の係数更新式において、
x m (n) = ｜x m-1 (n) ｜ x(n)
であることを特徴とする請求項１または２のいずれか１項記載の非線形歪等化回路。
【請求項４】
前記非線形歪補償用係数更新回路の係数更新式は、入力信号、誤差信号、ｍ次歪補償用係数、前記搬送波再生回路での位相回転の時刻n における値をそれぞれx(n)、e(n)、a m (n) 、e jp(n) 、ステップパラメータをu 、及びd を１以上の整数とするとき、
a m (n+d) = a m (n) + ue(n) [ x m (n) ] * e -jp(n)  (m ＞ 1)
a m (n+i) = a m (n)  ( i = 0, 1,…, d-1 )
であることを特徴とする請求項１記載の非線形歪等化回路。
【請求項５】
前記非線形歪補償用係数更新回路の係数更新式は、入力信号、誤差信号、ｍ次歪補償用係数、前記搬送波再生回路での位相回転の時刻n における値をそれぞれx(n)、e(n)、a m (n) 、e jp(n) 、ステップパラメータをu 、及びd を１以上の整数とするとき、
a m (n+d) = a m (n) + ue(n) [ x m (n) ] * e -jp(n)  (m ＞ 1)
a m (n+i) = a m (n)  ( i = 0, 1,…, d-1 )
であることを特徴とする請求項２記載の非線形歪等化回路。
【請求項６】
前記非線形歪補償用係数更新回路の係数更新式は、前記低域通過フィルタの各係数をCkFIL とするとき、
x m (n) をΣCkFIL x m (n-k)
に置き換えたことを特徴とする請求項５記載の非線形歪等化回路。
【請求項７】
前記非線形歪補償用係数更新回路の係数更新式は、前記線形歪補償用係数更新回路の各係数の時刻n における値をCkLEQ (n) とするとき、
x m (n) をΣCkLEQ (n) x m (n-k)
に置き換えたことを特徴とする請求項５記載の非線形歪等化回路。
【請求項８】
前記非線形歪補償用係数更新回路の係数更新式は、前記低域通過フィルタの各係数をCkFIL 、及び前記線形歪補償用係数更新回路の各係数の時刻n における値をCkLEQ (n) とするとき、
x m (n) をΣCiLEQ (n)z(n-i),  z(n) =ΣCkFIL x m (n-k)
に置き換えたことを特徴とする請求項５記載の非線形歪等化回路。
【請求項９】
同期キャリア変調されたOFDMベースバンド信号中の波形歪を補償する非線形歪等化回路であって、
同期キャリア変調されたOFDMベースバンド信号をＮ次関数変換特性（Ｎ＞１）によって変換する非線形歪補償用複素信号変換回路と、
前記非線形歪補償用複素信号変換回路の出力をＦＦＴ変換するＦＦＴ回路と、
前記ＦＦＴ回路の出力の同期復調を行う同期復調回路と、
前記同期復調回路の出力と理想受信点との誤差を算出する誤差算出回路と、
前記誤差算出回路の出力する誤差信号を用いて、前記非線形歪補償用複素信号変換回路の特性を決定する係数を更新する非線形歪補償用係数更新回路と、を具備することを特徴とする非線形歪等化回路。
【請求項１０】
差動キャリア変調されたOFDMベースバンド信号中の波形歪を補償する非線形歪等化回路であって、
差動キャリア変調されたOFDMベースバンド信号をＮ次関数変換特性（Ｎ＞１）によって変換する非線形歪補償用複素信号変換回路と、
前記非線形歪補償用複素信号変換回路の出力をＦＦＴ変換するＦＦＴ回路と、
前記ＦＦＴ回路の出力と、前記ＦＦＴ回路の出力を1OFDM シンボル遅延した信号を用いて差動復調を行う差動復調回路と、
前記差動復調回路の出力と理想受信点との誤差を算出する誤差算出回路と、
前記誤差算出回路の出力する誤差信号を用いて、前記非線形歪補償用複素信号変換回路の特性を決定する係数を更新する非線形歪補償用係数更新回路と、を具備することを特徴とする非線形歪等化回路。
【請求項１１】
前記非線形歪補償用複素信号変換回路の変換式は、入力信号、出力信号、及びｍ次歪補償用係数の時刻n における値をそれぞれx(n)、y(n)、a m (n) とするとき、
y(n) = x(n) + Σa m (n) x m (n)  (m ＞ 1)
であり、
前記非線形歪補償用複素信号変換回路の変換式、及び前記非線形歪補償用係数更新回路の係数更新式において、
x m (n) = ｜x m-1(n)｜ x(n)
であることを特徴とする請求項９または１０のいずれか１項記載の非線形歪等化回路。
【請求項１２】
前記同期復調回路は、前記ＦＦＴ回路の出力を用いて伝送路特性H(k)を算出し、前記ＦＦＴ回路の出力をH(k)で除算することによって同期復調を行うことを特徴とする請求項９記載の非線形歪等化回路。
【請求項１３】
前記非線形歪補償用係数更新回路の係数更新式は、入力信号、出力信号、誤差信号、ｍ次歪補償用係数の時刻n における値をそれぞれx(n)、y(n)、e(n)、a m (n) 、ステップパラメータをu 、及びd を１以上の整数とし、y(n)及びx m (n) のＦＦＴ変換はポイント数L で時刻n = T から動作を開始し、
T + gL≦ n≦ T + (g+1)L - 1  ( g = 0, 1,… )
とするとき、この期間におけるx m (n) のＦＦＴ変換をX m g (k) と表すと、
a m (n+d) = a m (n) + ue(n) H(n-T-gL) X m g (n-T-gL) * 
a m (n+i) = a m (n)  ( i = 0, 1,…, d-1 )
X m g (k) = Σj = (T+gL)to(T+(g+1)L-1) xm (j) W L k(j-T-gL) ,
W L = e -j2pie/L
(m ＞ 1;  k = 0, 1,…, L-1 )
であり、
前記非線形歪補償用係数更新回路の係数更新式は、f を１以上の整数とするとき、
a m (T + (g+v)L + w) = am (T + (g+1)L - 1)
( v = 1, 2, …, f-1; w = 0, 1,…, L-1 )
としてf OFDMシンボル毎に1OFDM シンボルのみ係数更新を行うことを特徴とする請求項１２記載の非線形歪等化回路。
【請求項１４】
前記差動復調回路は、前記ＦＦＴ回路の出力を前記1OFDM シンボル遅延した信号で、前記ＦＦＴ回路の出力を除算することによって差動復調を行うことを特徴とする請求項１０記載の非線形歪等化回路。
【請求項１５】
前記非線形歪補償用係数更新回路の係数更新式は、入力信号、出力信号、誤差信号、ｍ次歪補償用係数の時刻n における値をそれぞれx(n)、y(n)、e(n)、a m (n) 、ステップパラメータをu 、及びd を１以上の整数とし、y(n)及びx m (n) のＦＦＴ変換はポイント数L で時刻n = T から動作を開始し、
T + gL≦ n≦ T + (g+1)L - 1  ( g = 0, 1,… )
とするとき、この期間におけるy(n)及びx m (n) のＦＦＴ変換をそれぞれY g (k) 、X m g (k) と表すと、
a m (n+d)
= a m (n) + ue(n) Y g-1( n'-T-(g-1)L ) X m g (n-T-gL)*
( n' = n - L )
a m (n+i) = a m (n)  ( i = 0, 1,…, d-1 )
X m g (k) = Σj =(T+gL)to(T+(g+1)L-1) x m (j) W L k(j-T-gL) 
Y g (k) = Σj =(T+gL)to(T+(g+1)L-1) y(j) W Lk(j-T-gL) ,
W L = e-j2pie /L 
(m ＞ 1;  k = 0, 1,…, L-1 )
であり、
前記非線形歪補償用係数更新回路の係数更新式は、f を１以上の整数とするとき、
a m (T + (g+v)L + w) = am (T + (g+1)L - 1)
( v = 1, 2, …, f-1; w = 0, 1,…, L-1 )
としてf OFDMシンボル毎に1OFDM シンボルのみ係数更新を行うことを特徴とする請求項１４記載の非線形歪等化回路。
【請求項１６】
前記差動復調回路は、前記ＦＦＴ回路の出力を前記1OFDM シンボル遅延した信号の複素共役と、前記ＦＦＴ回路の出力とを乗算することによって差動復調を行うことを特徴とする請求項１０記載の非線形歪等化回路。
【請求項１７】
前記非線形歪補償用係数更新回路の係数更新式は、入力信号、出力信号、誤差信号、ｍ次歪補償用係数の時刻n における値をそれぞれx(n)、y(n)、e(n)、a m (n) 、ステップパラメータをu 、及びd を１以上の整数とし、y(n)及びx m (n) のＦＦＴ変換はポイント数L で時刻n = T から動作を開始し、
T + gL≦ n≦ T + (g+1)L -1  ( g = 0, 1,… )
とするとき、この期間におけるy(n)及びx m (n) のＦＦＴ変換をそれぞれY g (k) 、X m g (k) と表すと、
a m (n+d)
= a m (n) + ue(n) X m g (n-T-gL) * / Y g-1( n'-T-(g-1)L ) *
( n' = n - L )
a m (n+i) = a m (n)  ( i = 0, 1,…, d-1 )
X m g (k) = Σj =(T+gL)to(T+(g+1)L-1) x m (j) W L k(j-T-gL) 
Y g (k) = Σj =(T+gL)to(T+(g+1)L-1) y(j) W Lk(j-T-gL) ,
W L = e-j2pie/L
(m ＞ 1;  k = 0, 1,…, L-1 )
であり、
前記非線形歪補償用係数更新回路の係数更新式は、f を１以上の整数とするとき、
a m (T + (g+v)L + w) = am (T + (g+1)L - 1)
( v = 1, 2, …, f-1; w = 0, 1,…, L-1 )
としてf OFDMシンボル毎に1OFDM シンボルのみ係数更新を行うことを特徴とする請求項１６記載の非線形歪等化回路。
【請求項１８】
前記非線形歪補償用係数更新回路の係数更新式は、c を２以上の整数、q を0 以上c-1 以下の整数、及びr を-(c-1)以上0 以下の整数とするとき、
X m g ( (p-1)c+q+b ) = Xm g ( (p-1)c+q )  ( p = 2, 3, …, (L/c-1) )
X m g ( (p-1)c+q+b ) = Xm g ( (p-1)c+q )  ( p = 1 かつ q+b≧ 0 )
X m g ( (p-1)c+q+b ) = Xm g ( (p-1)c+q )  ( p = L/c かつ q+b≦ c-1 )
X m g-1(L+q+b) = Xm g ( (p-1)c+q )  ( p = 1 かつ q+b≦ -1 )
X m g+1(q+b) = Xm g ( (p-1)c+q )  ( p = L/c かつ q+b≧ c )
( b = r, r+1, …, r+(c-1) )
として前記ＦＦＴ変換の出力のc ポイント毎に１ポイントを用いて代表値とし、残りの(c-1) ポイントを前記代表値として補間することに置き換えたことを特徴とする請求項１３、１５、１７のいずれか１項記載の非線形歪等化回路。
【請求項１９】
前記非線形歪補償用係数更新回路の係数更新式は、c を２以上の整数、q を0 以上c-1 以下の整数、及びr を-(c-1)以上0 以下の整数とするとき、
X m g ( (p-1)c+q ) '
=Σs =1 to L/c x m ( T+gL+(s-1)c+q ) W L/c (p-1)(s-1) ,
W L/c = e-j2pie/(L/c)
( m ＞ 1;  p = 1, 2, …, L/c )
として、前記ＦＦＴ変換の入力のc ポイント毎に１ポイントを用いて１／c のポイント数のＦＦＴ変換を行って代表値とし、
X m g ( (p-1)c+q+b )' = X m g ( (p-1)c+q )'
( p = 2, 3,…, (L/c- 1) )
X m g ( (p-1)c+q+b )' = X m g ( (p-1)c+q )'
( p = 1かつ q+b≧ 0 )
X m g ( (p-1)c+q+b )' = X m g ( (p-1)c+q )'
（p = L/cかつ q+b≦ c-1 ）
X m g-1(L+q+b)' = X m g ( (p-1)c+q )'
( p = 1かつ q+b≦ -1 )
X m g+1(q+b)' = X m g ( (p-1)c+q )'
( p = L/cかつ q+b≧ c )
( b = r, r+1, …, r+(c-1) )
として、残りの(c-1) ポイントの補間を行い、
X m g (k) を Xm g (k)'
に置き換えたことを特徴とする請求項１３、１５、１７のいずれか１項記載の非線形歪等化回路。
【請求項２０】
複素入力信号中の波形歪を補償する非線形歪等化方法であって、
複素入力信号をＮ次関数変換特性（Ｎ＞１）によって変換して非線形歪等化信号を出力し、
前記非線形歪等化信号の低域成分のみを通過させる低域通過フィルタリング処理を行い、
前記低域通過フィルタリング処理出力の位相同期の確立を行う搬送波再生処理を行い、
前記搬送波再生処理出力と理想受信点との誤差信号を算出し、
前記誤差信号を用い、かつ前記搬送波再生処理で行われる位相回転を補正して前記Ｎ次関数変換特性の係数を更新することを特徴とする非線形歪等化方法。
【請求項２１】
複素入力信号中の波形歪を補償する非線形歪等化方法であって、
複素入力信号をＮ次関数変換特性（Ｎ＞１）によって変換して非線形歪等化信号を出力し、
前記非線形歪等化信号の低域成分のみを通過させる低域通過フィルタリング処理を行い、
前記低域通過フィルタリング処理出力を畳み込み演算によって変換して線形歪等化信号を出力し、
前記線形歪等化信号の位相同期の確立を行う搬送波再生処理を行い、
前記搬送波再生処理出力と理想受信点との誤差信号を算出し、
前記誤差信号を用い、かつ前記搬送波再生処理で行われる位相回転を補正して前記畳み込み演算の係数を更新し、
前記誤差信号を用い、かつ前記搬送波再生処理で行われる位相回転を補正して前記Ｎ次関数変換特性の係数を更新することを特徴とする非線形歪等化方法。
【請求項２２】
同期キャリア変調されたOFDMベースバンド信号中の波形歪を補償する非線形歪等化方法であって、
同期キャリア変調されたOFDMベースバンド信号をＮ次関数変換特性（Ｎ＞１）によって変換して非線形歪等化信号を出力し、
前記非線形歪等化信号をＦＦＴ変換するＦＦＴ処理を行い、
前記ＦＦＴ処理出力の同期復調を行う同期復調処理を行い、
前記同期復調処理出力と理想受信点との誤差を算出し、
前記誤差信号を用い、前記Ｎ次関数変換特性の係数を更新することを特徴とする非線形歪等化方法。
【請求項２３】
差動キャリア変調されたOFDMベースバンド信号中の波形歪を補償する非線形歪等化方法であって、
差動キャリア変調されたOFDMベースバンド信号をＮ次関数変換特性（Ｎ＞１）によって変換して非線形歪等化信号を出力し、
前記非線形歪等化信号をＦＦＴ変換するＦＦＴ処理を行い、
前記ＦＦＴ処理出力と、前記ＦＦＴ処理出力を1OFDM シンボル遅延した信号を用いて差動復調を行う差動復調処理を行い、
前記差動復調処理出力と理想受信点との誤差を算出し、
前記誤差信号を用い、前記Ｎ次関数変換特性の係数を更新することを特徴とする非線形歪等化方法。
【手続補正３】
【補正対象書類名】明細書
【補正対象項目名】０１１１
【補正方法】変更
【補正の内容】
【０１１１】
【課題を解決するための手段】
本願の請求項１の発明は、複素入力信号中の波形歪を補償する非線形歪等化回路であって、複素入力信号をＮ次関数変換特性（Ｎ＞１）によって変換する非線形歪補償用複素信号変換回路と、前記非線形歪補償用複素信号変換回路の出力の低域成分のみを通過させる低域通過フィルタと、前記低域通過フィルタの出力の位相同期を確立する搬送波再生回路と、前記搬送波再生回路の出力と理想受信点との誤差を算出する誤差算出回路と、前記誤差算出回路の出力する誤差信号を用い、かつ前記搬送波再生回路で行われる位相回転を補正して、前記非線形歪補償用複素信号変換回路の特性を決定する係数を更新する非線形歪補償用係数更新回路と、を具備することを特徴とする。
【手続補正４】
【補正対象書類名】明細書
【補正対象項目名】０１１２
【補正方法】変更
【補正の内容】
【０１１２】
本願の請求項２の発明は、複素入力信号中の波形歪を補償する非線形歪等化回路であって、複素入力信号をＮ次関数変換特性（Ｎ＞１）によって変換する非線形歪補償用複素信号変換回路と、前記非線形歪補償用複素信号変換回路の出力の低域成分のみを通過させる低域通過フィルタと、前記低域通過フィルタの出力を畳み込み演算によって変換する線形歪補償用複素信号変換回路と、前記線形歪補償用複素信号変換回路の出力の位相同期を確立する搬送波再生回路と、前記搬送波再生回路の出力と理想受信点との誤差を算出する誤差算出回路と、前記誤差算出回路の出力する誤差信号を用い、かつ前記搬送波再生回路で行われる位相回転を補正して、前記線形歪補償用複素信号変換回路の特性を決定する係数を更新する線形歪補償用係数更新回路と、前記誤差算出回路の出力する誤差信号を用い、かつ前記搬送波再生回路で行われる位相回転を補正して、前記非線形歪補償用複素信号変換回路の特性を決定する係数を更新する非線形歪補償用係数更新回路と、を具備することを特徴とする。
【手続補正５】
【補正対象書類名】明細書
【補正対象項目名】０１１３
【補正方法】変更
【補正の内容】
【０１１３】
本願の請求項３の発明は、請求項１または２のいずれか１項の非線形歪等化回路において、前記非線形歪補償用複素信号変換回路の変換式は、入力信号、出力信号、及びｍ次歪補償用係数の時刻n における値をそれぞれx(n)、y(n)、a m (n) とするとき、
y(n) = x(n) + Σa m (n)x m (n)    (m > 1) 
であり、前記非線形歪補償用複素信号変換回路の変換式、及び前記非線形歪補償用係数更新回路の係数更新式において、
x m (n) = ｜x m-1 (n) ｜ x(n) 
であることを特徴とする。
【手続補正６】
【補正対象書類名】明細書
【補正対象項目名】０１１４
【補正方法】変更
【補正の内容】
【０１１４】
本願の請求項４の発明は、請求項１の非線形歪等化回路において、前記非線形歪補償用係数更新回路の係数更新式は、入力信号、誤差信号、ｍ次歪補償用係数、前記搬送波再生回路での位相回転の時刻n における値をそれぞれx(n)、e(n)、a m (n) 、e jp(n) 、ステップパラメータをu 、及びd を１以上の整数とするとき、
a m (n+d) = a m (n) + ue(n) [ x m (n) ] * e -jp(n)  (m > 1) 
a m (n+i) = a m (n)  ( i = 0, 1,…, d-1 ) 
であることを特徴とする。
【手続補正７】
【補正対象書類名】明細書
【補正対象項目名】０１１５
【補正方法】変更
【補正の内容】
【０１１５】
本願の請求項５の発明は、請求項２の非線形歪等化回路において、前記非線形歪補償用係数更新回路の係数更新式は、入力信号、誤差信号、ｍ次歪補償用係数、前記搬送波再生回路での位相回転の時刻n における値をそれぞれx(n)、e(n)、a m (n) 、e jp(n) 、ステップパラメータをu 、及びd を１以上の整数とするとき、
a m (n+d) = a m (n) + ue(n) [ x m (n) ] * e -jp(n)  (m > 1) 
a m (n+i) = a m (n)  ( i = 0, 1,…, d-1 ) 
であることを特徴とする。
【手続補正８】
【補正対象書類名】明細書
【補正対象項目名】０１１６
【補正方法】変更
【補正の内容】
【０１１６】
本願の請求項６の発明は、請求項５の非線形歪等化回路において、前記非線形歪補償用係数更新回路の係数更新式は、前記低域通過フィルタの各係数をCkFIL とするとき、
x m (n) をΣCkFIL x m (n-k) 
に置き換えたことを特徴とする。
【手続補正９】
【補正対象書類名】明細書
【補正対象項目名】０１１７
【補正方法】変更
【補正の内容】
【０１１７】
本願の請求項７の発明は、請求項５の非線形歪等化回路において、前記非線形歪補償用係数更新回路の係数更新式は、前記線形歪補償用係数更新回路の各係数の時刻n における値をCkLEQ (n) とするとき、
x m (n) をΣCkLEQ (n) x m (n-k) 
に置き換えたことを特徴とする。
【手続補正１０】
【補正対象書類名】明細書
【補正対象項目名】０１１８
【補正方法】変更
【補正の内容】
【０１１８】
本願の請求項８の発明は、請求項５の非線形歪等化回路において、前記非線形歪補償用係数更新回路の係数更新式は、前記低域通過フィルタの各係数をCkFIL 、及び前記線形歪補償用係数更新回路の各係数の時刻n における値をCkLEQ (n) とするとき、
x m (n) をΣCiLEQ (n)z(n-i),  z(n) =ΣCkFIL x m (n-k) 
に置き換えたことを特徴とする。
【手続補正１１】
【補正対象書類名】明細書
【補正対象項目名】０１１９
【補正方法】変更
【補正の内容】
【０１１９】
本願の請求項９の発明は、同期キャリア変調されたOFDMベースバンド信号中の波形歪を補償する非線形歪等化回路であって、同期キャリア変調されたOFDMベースバンド信号をＮ次関数変換特性（Ｎ＞１）によって変換する非線形歪補償用複素信号変換回路と、前記非線形歪補償用複素信号変換回路の出力をＦＦＴ変換するＦＦＴ回路と、前記ＦＦＴ回路の出力の同期復調を行う同期復調回路と、前記同期復調回路の出力と理想受信点との誤差を算出する誤差算出回路と、前記誤差算出回路の出力する誤差信号を用いて、前記非線形歪補償用複素信号変換回路の特性を決定する係数を更新する非線形歪補償用係数更新回路と、を具備することを特徴とする。
【手続補正１２】
【補正対象書類名】明細書
【補正対象項目名】０１２０
【補正方法】変更
【補正の内容】
【０１２０】
本願の請求項１０の発明は、差動キャリア変調されたOFDMベースバンド信号中の波形歪を補償する非線形歪等化回路であって、差動キャリア変調されたOFDMベースバンド信号をＮ次関数変換特性（Ｎ＞１）によって変換する非線形歪補償用複素信号変換回路と、前記非線形歪補償用複素信号変換回路の出力をＦＦＴ変換するＦＦＴ回路と、前記ＦＦＴ回路の出力と、前記ＦＦＴ回路の出力を1OFDM シンボル遅延した信号を用いて差動復調を行う差動復調回路と、前記差動復調回路の出力と理想受信点との誤差を算出する誤差算出回路と、前記誤差算出回路の出力する誤差信号を用いて、前記非線形歪補償用複素信号変換回路の特性を決定する係数を更新する非線形歪補償用係数更新回路と、を具備することを特徴とする。
【手続補正１３】
【補正対象書類名】明細書
【補正対象項目名】０１２１
【補正方法】変更
【補正の内容】
【０１２１】
本願の請求項１１の発明は、請求項９または１０のいずれか１項の非線形歪等化回路において、前記非線形歪補償用複素信号変換回路の変換式は、入力信号、出力信号、及びｍ次歪補償用係数の時刻n における値をそれぞれx(n)、y(n)、a m (n) とするとき、
y(n) = x(n) + Σa m (n) x m (n)  (m > 1)
であり、前記非線形歪補償用複素信号変換回路の変換式、及び前記非線形歪補償用係数更新回路の係数更新式において、
x m (n) = ｜x m-1(n)｜ x(n)
であることを特徴とする。
【手続補正１４】
【補正対象書類名】明細書
【補正対象項目名】０１２２
【補正方法】変更
【補正の内容】
【０１２２】
本願の請求項１２の発明は、請求項９の非線形歪等化回路において、前記同期復調回路は、前記ＦＦＴ回路の出力を用いて伝送路特性H(k)を算出し、前記ＦＦＴ回路の出力をH(k)で除算することによって同期復調を行うことを特徴とする。
【手続補正１５】
【補正対象書類名】明細書
【補正対象項目名】０１２３
【補正方法】変更
【補正の内容】
【０１２３】
本願の請求項１３の発明は、請求項１２の非線形歪等化回路において、前記非線形歪補償用係数更新回路の係数更新式は、入力信号、出力信号、誤差信号、ｍ次歪補償用係数の時刻n における値をそれぞれx(n)、y(n)、e(n)、a m (n) 、ステップパラメータをu 、及びd を１以上の整数とし、y(n)及びx m (n) のＦＦＴ変換はポイント数L で時刻n = T から動作を開始し、
T + gL≦ n≦ T + (g+1)L - 1  ( g = 0, 1,… )
とするとき、この期間におけるx m (n) のＦＦＴ変換をX m g (k) と表すと、
a m (n+d) = a m (n) + ue(n) H(n-T-gL) X m g (n-T-gL) * 
a m (n+i) = a m (n)  ( i = 0, 1,…, d-1 ) 
X m g (k) = Σj = (T+gL)to(T+(g+1)L-1) xm (j) W L k(j-T-gL) , 
W L = e -j2pie/L
(m > 1;  k = 0, 1,…, L-1 ) 
であり、前記非線形歪補償用係数更新回路の係数更新式は、f を１以上の整数とするとき、
a m (T + (g+v)L + w) = am (T + (g+1)L - 1)  
( v = 1, 2, …, f-1; w = 0, 1,…, L-1 ) 
としてf OFDMシンボル毎に1OFDM シンボルのみ係数更新を行うことを特徴とする。
【手続補正１６】
【補正対象書類名】明細書
【補正対象項目名】０１２４
【補正方法】変更
【補正の内容】
【０１２４】
本願の請求項１４の発明は、請求項１０の非線形歪等化回路において、前記差動復調回路は、前記ＦＦＴ回路の出力を前記1OFDM シンボル遅延した信号で、前記ＦＦＴ回路の出力を除算することによって差動復調を行うことを特徴とする。
【手続補正１７】
【補正対象書類名】明細書
【補正対象項目名】０１２５
【補正方法】変更
【補正の内容】
【０１２５】
本願の請求項１５の発明は、請求項１４の非線形歪等化回路において、前記非線形歪補償用係数更新回路の係数更新式は、入力信号、出力信号、誤差信号、ｍ次歪補償用係数の時刻n における値をそれぞれx(n)、y(n)、e(n)、a m (n) 、ステップパラメータをu 、及びd を１以上の整数とし、y(n)及びx m (n) のＦＦＴ変換はポイント数L で時刻n = T から動作を開始し、
T + gL≦ n≦ T + (g+1)L - 1  ( g = 0, 1,… )
とするとき、この期間におけるy(n)及びx m (n) のＦＦＴ変換をそれぞれY g (k) 、X m g (k) と表すと、
a m (n+d) 
= a m (n) + ue(n) Y g-1( n'-T-(g-1)L ) X m g (n-T-gL)*
( n' = n - L ) 
a m (n+i) = a m (n)  ( i = 0, 1,…, d-1 ) 
X m g (k) = Σj =(T+gL)to(T+(g+1)L-1) x m (j) W L k(j-T-gL) 
Y g (k) = Σj =(T+gL)to(T+(g+1)L-1) y(j) W Lk(j-T-gL) , 
W L = e-j2pie /L 
(m > 1;  k = 0, 1,…, L-1 ) 
であり、前記非線形歪補償用係数更新回路の係数更新式は、f を１以上の整数とするとき、
a m (T + (g+v)L + w) = am (T + (g+1)L - 1)  
( v = 1, 2, …, f-1; w = 0, 1,…, L-1 ) 
としてf OFDMシンボル毎に1OFDM シンボルのみ係数更新を行うことを特徴とする。
【手続補正１８】
【補正対象書類名】明細書
【補正対象項目名】０１２６
【補正方法】変更
【補正の内容】
【０１２６】
本願の請求項１６の発明は、請求項１０記載の非線形歪等化回路において、前記差動復調回路は、前記ＦＦＴ回路の出力を前記1OFDM シンボル遅延した信号の複素共役と、前記ＦＦＴ回路の出力とを乗算することによって差動復調を行うことを特徴とする。
【手続補正１９】
【補正対象書類名】明細書
【補正対象項目名】０１２７
【補正方法】変更
【補正の内容】
【０１２７】
本願の請求項１７の発明は、請求項１６の非線形歪等化回路において、前記非線形歪補償用係数更新回路の係数更新式は、入力信号、出力信号、誤差信号、ｍ次歪補償用係数の時刻n における値をそれぞれx(n)、y(n)、e(n)、a m (n) 、ステップパラメータをu 、及びd を１以上の整数とし、y(n)及びx m (n) のＦＦＴ変換はポイント数L で時刻n = T から動作を開始し、
T + gL≦ n≦ T + (g+1)L - 1  ( g = 0, 1,… )
とするとき、この期間におけるy(n)及びx m (n) のＦＦＴ変換をそれぞれY g (k) 、X m g (k) と表すと、
a m (n+d) 
= a m (n) + ue(n) X m g (n-T-gL) * / Y g-1( n'-T-(g-1)L ) *
( n' = n - L ) 
a m (n+i) = a m (n)  ( i = 0, 1,…, d-1 ) 
X m g (k) = Σj =(T+gL)to(T+(g+1)L-1) x m (j) W L k(j-T-gL) 
Y g (k) = Σj =(T+gL)to(T+(g+1)L-1) y(j) W Lk(j-T-gL) , 
W L = e-j2pie/L
(m > 1;  k = 0, 1,…, L-1 ) 
であり、
前記非線形歪補償用係数更新回路の係数更新式は、f を１以上の整数とするとき、
a m (T + (g+v)L + w) = am (T + (g+1)L - 1)  
( v = 1, 2, …, f-1; w = 0, 1,…, L-1 ) 
としてf OFDMシンボル毎に1OFDM シンボルのみ係数更新を行うことを特徴とする。
【手続補正２０】
【補正対象書類名】明細書
【補正対象項目名】０１２８
【補正方法】変更
【補正の内容】
【０１２８】
本願の請求項１８の発明は、請求項１３、１５、１７のいずれか１項の非線形歪等化回路において、前記非線形歪補償用係数更新回路の係数更新式は、c を２以上の整数、q を0 以上c-1 以下の整数、及びr を-(c-1)以上0 以下の整数とするとき、
X m g ( (p-1)c+q+b ) = Xm g ( (p-1)c+q )  ( p = 2, 3, …, (L/c-1) ) 
X m g ( (p-1)c+q+b ) = Xm g ( (p-1)c+q )  ( p = 1 かつ q+b≧ 0 )
X m g ( (p-1)c+q+b ) = Xm g ( (p-1)c+q )  ( p = L/c かつ q+b≦ c-1 )
X m g-1(L+q+b) = Xm g ( (p-1)c+q )  ( p = 1 かつ q+b≦ -1 ) 
X m g+1(q+b) = Xm g ( (p-1)c+q )  ( p = L/c かつ q+b≧ c )
( b = r, r+1, …, r+(c-1) ) 
として前記ＦＦＴ変換の出力のc ポイント毎に１ポイントを用いて代表値とし、残りの(c-1) ポイントを前記代表値として補間することに置き換えたことを特徴とする。
【手続補正２１】
【補正対象書類名】明細書
【補正対象項目名】０１２９
【補正方法】変更
【補正の内容】
【０１２９】
本願の請求項１９の発明は、請求項１３、１５、１７のいずれか１項の非線形歪等化回路において、前記非線形歪補償用係数更新回路の係数更新式は、c を２以上の整数、q を0 以上c-1 以下の整数、及びr を-(c-1)以上0 以下の整数とするとき、
X m g ( (p-1)c+q ) '
=Σs =1 to L/c x m ( T+gL+(s-1)c+q ) W L/c (p-1)(s-1) ,
W L/c = e-j2pie/(L/c)
( m > 1;  p = 1, 2, …, L/c ) 
として、前記ＦＦＴ変換の入力のc ポイント毎に１ポイントを用いて１／c のポイント数のＦＦＴ変換を行って代表値とし、
X m g ( (p-1)c+q+b )' = X m g ( (p-1)c+q )' 
( p = 2, 3,…, (L/c- 1) )
X m g ( (p-1)c+q+b )' = X m g ( (p-1)c+q )' 
( p = 1かつ q+b≧ 0 )
X m g ( (p-1)c+q+b )' = X m g ( (p-1)c+q )' 
（p = L/cかつ q+b≦ c-1 ）
X m g-1(L+q+b)' = X m g ( (p-1)c+q )' 
( p = 1かつ q+b≦ -1 ) 
X m g+1(q+b)' = X m g ( (p-1)c+q )' 
( p = L/cかつ q+b≧ c )
( b = r, r+1, …, r+(c-1) ) 
として、残りの(c-1) ポイントの補間を行い、
X m g (k) を Xm g (k)'
に置き換えたことを特徴とする。
【手続補正２２】
【補正対象書類名】明細書
【補正対象項目名】０１３０
【補正方法】変更
【補正の内容】
【０１３０】
本願の請求項２０の発明は、複素入力信号中の波形歪を補償する非線形歪等化方法であって、複素入力信号をＮ次関数変換特性（Ｎ＞１）によって変換して非線形歪等化信号を出力し、前記非線形歪等化信号の低域成分のみを通過させる低域通過フィルタリング処理を行い、前記低域通過フィルタリング処理出力の位相同期の確立を行う搬送波再生処理を行い、前記搬送波再生処理出力と理想受信点との誤差信号を算出し、前記誤差信号を用い、かつ前記搬送波再生処理で行われる位相回転を補正して前記Ｎ次関数変換特性の係数を更新することを特徴とする。
【手続補正２３】
【補正対象書類名】明細書
【補正対象項目名】０１３１
【補正方法】変更
【補正の内容】
【０１３１】
本願の請求項２１の発明は、複素入力信号中の波形歪を補償する非線形歪等化方法であって、複素入力信号をＮ次関数変換特性（Ｎ＞１）によって変換して非線形歪等化信号を出力し、前記非線形歪等化信号の低域成分のみを通過させる低域通過フィルタリング処理を行い、前記低域通過フィルタリング処理出力を畳み込み演算によって変換して線形歪等化信号を出力し、前記線形歪等化信号の位相同期の確立を行う搬送波再生処理を行い、前記搬送波再生処理出力と理想受信点との誤差信号を算出し、前記誤差信号を用い、かつ前記搬送波再生処理で行われる位相回転を補正して前記畳み込み演算の係数を更新し、前記誤差信号を用い、かつ前記搬送波再生処理で行われる位相回転を補正して前記Ｎ次関数変換特性の係数を更新することを特徴とする。
【手続補正２４】
【補正対象書類名】明細書
【補正対象項目名】０１３２
【補正方法】変更
【補正の内容】
【０１３２】
本願の請求項２２の発明は、同期キャリア変調されたOFDMベースバンド信号中の波形歪を補償する非線形歪等化方法であって、同期キャリア変調されたOFDMベースバンド信号をＮ次関数変換特性（Ｎ＞１）によって変換して非線形歪等化信号を出力し、前記非線形歪等化信号をＦＦＴ変換するＦＦＴ処理を行い、前記ＦＦＴ処理出力の同期復調を行う同期復調処理を行い、前記同期復調処理出力と理想受信点との誤差を算出し、前記誤差信号を用い、前記Ｎ次関数変換特性の係数を更新することを特徴とする。
【手続補正２５】
【補正対象書類名】明細書
【補正対象項目名】０１３３
【補正方法】変更
【補正の内容】
【０１３３】
本願の請求項２３の発明は、差動キャリア変調されたOFDMベースバンド信号中の波形歪を補償する非線形歪等化方法であって、差動キャリア変調されたOFDMベースバンド信号をＮ次関数変換特性（Ｎ＞１）によって変換して非線形歪等化信号を出力し、前記非線形歪等化信号をＦＦＴ変換するＦＦＴ処理を行い、前記ＦＦＴ処理出力と、前記ＦＦＴ処理出力を1OFDM シンボル遅延した信号を用いて差動復調を行う差動復調処理を行い、前記差動復調処理出力と理想受信点との誤差を算出し、前記誤差信号を用い、前記Ｎ次関数変換特性の係数を更新することを特徴とする。
【手続補正２６】
【補正対象書類名】明細書
【補正対象項目名】０１３４
【補正方法】削除
【補正の内容】
【手続補正２７】
【補正対象書類名】明細書
【補正対象項目名】０１３５
【補正方法】削除
【補正の内容】
【手続補正２８】
【補正対象書類名】明細書
【補正対象項目名】０１３６
【補正方法】削除
【補正の内容】
【手続補正２９】
【補正対象書類名】明細書
【補正対象項目名】０１３７
【補正方法】削除
【補正の内容】
【手続補正３０】
【補正対象書類名】明細書
【補正対象項目名】０１３８
【補正方法】削除
【補正の内容】
【手続補正３１】
【補正対象書類名】明細書
【補正対象項目名】０１３９
【補正方法】削除
【補正の内容】
【手続補正３２】
【補正対象書類名】明細書
【補正対象項目名】０１４０
【補正方法】削除
【補正の内容】
【手続補正３３】
【補正対象書類名】明細書
【補正対象項目名】０１４１
【補正方法】削除
【補正の内容】
【手続補正３４】
【補正対象書類名】明細書
【補正対象項目名】０１４２
【補正方法】削除
【補正の内容】
【手続補正３５】
【補正対象書類名】明細書
【補正対象項目名】０１４３
【補正方法】削除
【補正の内容】
【手続補正３６】
【補正対象書類名】明細書
【補正対象項目名】０１４４
【補正方法】削除
【補正の内容】
【手続補正３７】
【補正対象書類名】明細書
【補正対象項目名】０１４５
【補正方法】削除
【補正の内容】
【手続補正３８】
【補正対象書類名】明細書
【補正対象項目名】０１４６
【補正方法】削除
【補正の内容】
【手続補正３９】
【補正対象書類名】明細書
【補正対象項目名】０１４７
【補正方法】削除
【補正の内容】
【手続補正４０】
【補正対象書類名】明細書
【補正対象項目名】０１４８
【補正方法】削除
【補正の内容】
【手続補正４１】
【補正対象書類名】明細書
【補正対象項目名】０１４９
【補正方法】削除
【補正の内容】
【手続補正４２】
【補正対象書類名】明細書
【補正対象項目名】０１５０
【補正方法】削除
【補正の内容】
【手続補正４３】
【補正対象書類名】明細書
【補正対象項目名】０１５１
【補正方法】削除
【補正の内容】
【手続補正４４】
【補正対象書類名】明細書
【補正対象項目名】０１５２
【補正方法】削除
【補正の内容】
【手続補正４５】
【補正対象書類名】明細書
【補正対象項目名】０１５３
【補正方法】削除
【補正の内容】
【手続補正４６】
【補正対象書類名】明細書
【補正対象項目名】０１５４
【補正方法】削除
【補正の内容】
【手続補正４７】
【補正対象書類名】明細書
【補正対象項目名】０１５５
【補正方法】削除
【補正の内容】
【手続補正４８】
【補正対象書類名】明細書
【補正対象項目名】０１５６
【補正方法】削除
【補正の内容】
【手続補正４９】
【補正対象書類名】明細書
【補正対象項目名】０１５７
【補正方法】削除
【補正の内容】
【手続補正５０】
【補正対象書類名】明細書
【補正対象項目名】０１５８
【補正方法】削除
【補正の内容】
【手続補正５１】
【補正対象書類名】明細書
【補正対象項目名】０１５９
【補正方法】削除
【補正の内容】
【手続補正５２】
【補正対象書類名】明細書
【補正対象項目名】０１６０
【補正方法】削除
【補正の内容】
【手続補正５３】
【補正対象書類名】明細書
【補正対象項目名】０１６１
【補正方法】削除
【補正の内容】
【手続補正５４】
【補正対象書類名】明細書
【補正対象項目名】０１６２
【補正方法】削除
【補正の内容】
【手続補正５５】
【補正対象書類名】明細書
【補正対象項目名】０１６３
【補正方法】削除
【補正の内容】
【手続補正５６】
【補正対象書類名】明細書
【補正対象項目名】０１６４
【補正方法】削除
【補正の内容】
【手続補正５７】
【補正対象書類名】明細書
【補正対象項目名】０１６５
【補正方法】削除
【補正の内容】
【手続補正５８】
【補正対象書類名】明細書
【補正対象項目名】０１６６
【補正方法】削除
【補正の内容】
【手続補正５９】
【補正対象書類名】明細書
【補正対象項目名】０１６７
【補正方法】削除
【補正の内容】
【手続補正６０】
【補正対象書類名】明細書
【補正対象項目名】０１６８
【補正方法】削除
【補正の内容】
【手続補正６１】
【補正対象書類名】明細書
【補正対象項目名】０１６９
【補正方法】削除
【補正の内容】
【手続補正６２】
【補正対象書類名】明細書
【補正対象項目名】０１７０
【補正方法】削除
【補正の内容】
【手続補正６３】
【補正対象書類名】明細書
【補正対象項目名】０１７１
【補正方法】削除
【補正の内容】
【手続補正６４】
【補正対象書類名】明細書
【補正対象項目名】０１７２
【補正方法】削除
【補正の内容】
【手続補正６５】
【補正対象書類名】明細書
【補正対象項目名】０１７３
【補正方法】削除
【補正の内容】
【手続補正６６】
【補正対象書類名】明細書
【補正対象項目名】０１７４
【補正方法】削除
【補正の内容】
【手続補正６７】
【補正対象書類名】明細書
【補正対象項目名】０１７５
【補正方法】削除
【補正の内容】
【手続補正６８】
【補正対象書類名】明細書
【補正対象項目名】０１７６
【補正方法】削除
【補正の内容】
【手続補正６９】
【補正対象書類名】明細書
【補正対象項目名】０１７７
【補正方法】削除
【補正の内容】
【手続補正７０】
【補正対象書類名】明細書
【補正対象項目名】０１７８
【補正方法】削除
【補正の内容】
【手続補正７１】
【補正対象書類名】明細書
【補正対象項目名】０１７９
【補正方法】削除
【補正の内容】
【手続補正７２】
【補正対象書類名】明細書
【補正対象項目名】０１８０
【補正方法】削除
【補正の内容】
【手続補正７３】
【補正対象書類名】明細書
【補正対象項目名】０１８１
【補正方法】削除
【補正の内容】
【手続補正７４】
【補正対象書類名】明細書
【補正対象項目名】０１８２
【補正方法】削除
【補正の内容】
【手続補正７５】
【補正対象書類名】明細書
【補正対象項目名】０１８３
【補正方法】削除
【補正の内容】
【手続補正７６】
【補正対象書類名】明細書
【補正対象項目名】０１８４
【補正方法】削除
【補正の内容】
【手続補正７７】
【補正対象書類名】明細書
【補正対象項目名】０１８５
【補正方法】削除
【補正の内容】
【手続補正７８】
【補正対象書類名】明細書
【補正対象項目名】０１８６
【補正方法】削除
【補正の内容】
【手続補正７９】
【補正対象書類名】明細書
【補正対象項目名】０１８７
【補正方法】削除
【補正の内容】
【手続補正８０】
【補正対象書類名】明細書
【補正対象項目名】０１８８
【補正方法】削除
【補正の内容】
【手続補正８１】
【補正対象書類名】明細書
【補正対象項目名】０１８９
【補正方法】削除
【補正の内容】
【手続補正８２】
【補正対象書類名】明細書
【補正対象項目名】０１９０
【補正方法】削除
【補正の内容】
【手続補正８３】
【補正対象書類名】明細書
【補正対象項目名】０１９１
【補正方法】削除
【補正の内容】
【手続補正８４】
【補正対象書類名】明細書
【補正対象項目名】０１９２
【補正方法】削除
【補正の内容】
【手続補正８５】
【補正対象書類名】明細書
【補正対象項目名】０１９３
【補正方法】削除
【補正の内容】
【手続補正８６】
【補正対象書類名】明細書
【補正対象項目名】０１９４
【補正方法】削除
【補正の内容】
【手続補正８７】
【補正対象書類名】明細書
【補正対象項目名】０１９５
【補正方法】削除
【補正の内容】
【手続補正８８】
【補正対象書類名】明細書
【補正対象項目名】０１９６
【補正方法】削除
【補正の内容】
【手続補正８９】
【補正対象書類名】明細書
【補正対象項目名】０１９７
【補正方法】削除
【補正の内容】
【手続補正９０】
【補正対象書類名】明細書
【補正対象項目名】０１９８
【補正方法】削除
【補正の内容】
【手続補正９１】
【補正対象書類名】明細書
【補正対象項目名】０１９９
【補正方法】削除
【補正の内容】
【手続補正９２】
【補正対象書類名】明細書
【補正対象項目名】０２００
【補正方法】削除
【補正の内容】